(57)【特許請求の範囲】
【請求項１】
容器内につながる貫通開口を有し、容器の口部に固定保持される本体部分と、この本体部分の貫通開口内の外側開口端側に設けられて該貫通開口内にて揺動可能に保持され、初期姿勢でもって前記貫通開口を閉塞する弁体とを備え、
前記弁体に、内容物を注出する小径開孔を設けた、ことを特徴とする容器の中栓。
【請求項２】
前記弁体は、前記貫通開口を閉塞する弁本体と、前記本体部分の内側壁に一体連結しその部位を支点にして前記弁本体を揺動させる少なくとも１つの連結片からなる、請求項１記載の容器の中栓。
【請求項３】
前記弁体は、前記本体部分の内周壁又は容器の口部の内周壁に嵌合保持される環状ベースと、この環状ベースに少なくとも１つの連結片を介して揺動可能に保持され、前記貫通開口に面して配される弁本体からなる、請求項１記載の容器の中栓。
【請求項４】
前記貫通開口を覆い隠し該貫通開口を取り囲む縁部に引き剥がし可能に貼着させる密封シートを備える、請求項１〜３の何れかに記載の容器の中栓。
【発明の詳細な説明】
【技術分野】
【０００１】
本発明は、内容物を注出するのに使われる容器の中栓に関するものであり、該中栓を取り外す等の必要なしに効率的に内容物を詰替えようとするものである。
【背景技術】
【０００２】
シャンプーやリンス、整髪剤、化粧料、調味料等を入れるハンディタイプの容器には、内容物の適量取り出しを可能とする観点から容器の口部には、適切なサイズに設定された開孔を有する中栓が装着されている。
【０００３】
かかる中栓は、ベース部に設けられた周壁とこの周壁の内側に位置する内筒との間で下向きに開放された環状溝部を形成して該環状溝部を容器の口部の先端部に嵌合させることによって固定保持されているのが普通であるところ、内容物の詰め替えを行なうには、該中栓を一旦取り外さなければならない面倒な作業が必要であり使い勝手がよいとはいえないのが現状であった（例えば、特許文献１参照）。
【先行技術文献】
【特許文献】
【０００４】
【特許文献１】特開平１−６１０４６号公報
【発明の概要】
【発明が解決しようとする課題】
【０００５】
本発明の課題は、内容物の詰替えに際して取り外しが不要であり、かつ、注出開孔を所定の開口サイズに維持できる容器の中栓を提案するところにある。
【課題を解決するための手段】
【０００６】
本発明は、容器内につながる貫通開口を有し、容器の口部に固定保持される本体部分と、この本体部分の貫通開口内の外側開口端側に設けられて該貫通開口内にて揺動可能に保持され、初期姿勢でもって前記貫通開口を閉塞する弁体とを備え、
前記弁体に、該容器内に充填した内容物を注出する小径開孔を設けた、ことを特徴とする容器の中栓である。
【０００７】
前記弁体としては、前記貫通開口内に配される弁本体と、前記本体部分の内側壁に一体連結しその部位を支点にして前記弁本体を前記貫通開口内で揺動させる少なくとも１つの連結片とを備えたもので構成するのが好ましい。
【０００８】
また、前記弁体としては、前記本体部分の内周壁又は容器の口部の内周壁に嵌合保持される環状ベースと、この環状ベースに少なくとも１つの連結片を介して揺動可能に保持され、前記貫通開口を閉塞する弁本体とを備えたもので構成することもでき、さらに、前記中栓には、前記貫通開口を覆い隠し該貫通開口を取り囲む縁部において引き剥がし可能に貼着させる薄肉の密封シートを設けるのが望ましい。
【発明の効果】
【０００９】
中栓の貫通開口に弁体を配置し、容器内の内容物を注出する際には該中栓の小径開孔を通して行ない、詰替えを行なう際には該弁体を倒し込み該貫通開口を通して行なうようにしたため、中栓を容器の口部から取り外すような面倒な作業は必要なく、効率的な詰替えが行なえる。
【００１０】
弁体に、前記貫通開口を覆い隠し該貫通開口を取り囲む縁部に引き剥がし可能に貼着させる薄肉の密封シートを設けておくことにより不正な開封が行なわれたかどうか目視で確認することができる。
【図面の簡単な説明】
【００１１】
【図１】（ａ）（ｂ）は、本発明にしたがう容器の中栓の実施の形態を示した図であり、（ａ）は平面図であり、（ｂ）は側面を断面で示した図である。
【図２】移し替えるべき内容物を充填した容器を示した図である。
【図３】本発明に従う容器の中栓を用いて内容物の詰替えを行なっている状況を示した図である。
【図４】（ａ）（ｂ）は、本発明にしたがう容器の中栓の他の実施の形態を示した図であり、（ａ）は平面図であり、（ｂ）は側面を断面で示した図である。
【図５】図４に示した容器の中栓を用いて内容物の詰替えを行なっている状況を示した図である。
【発明を実施するための形態】
【００１２】
以下、図面を参照して本発明をより具体的に説明する。
図１（ａ）（ｂ）は、本発明にしたがう中栓の実施の形態を容器の口部に取り付けた状態で示した図である。
【００１３】
図における符号１は、内容物の詰替えを行なうべき容器（継続使用容器）である。容器１の頂部には、円筒状の口部１ａが設けられており、その外周には、ねじ部を設けることが可能であって、図示しないキャップをねじ込むことによって容器１を密封状態に保持することができるようになっている（アンダーカットによる係合でもよい。）。
【００１４】
また、２は、容器1の口部１ａに装着された中栓である。中栓２は、容器1内につながる貫通開口ｈを有し、容器1の口部１ａにアンダーカットによって着脱自在に固定保持される本体部分２ａと、この貫通開口ｈ内にて揺動可能に保持される弁体２ｂからなっている。
【００１５】
中栓２のうち、本体部分２ａは、容器１の口部１ａの内側壁に嵌合する内筒２ａ１と、容器１の口部１ａの外側壁において嵌合する外筒２ａ２と、該内筒２ａ１及び外筒２ａ２を上端部で連結し、その相互間に下向きに開放された環状溝ｍを形成する天面壁２ａ３から構成されており、弁体２ｂについては、容器１内に充填した内容物を注出する小径開孔ｈ１を有し、該貫通開口ｈに面して配される（貫通開口ｈを閉塞するように配置される状態をいうものとする。）弁本体２ｂ１と、内筒２ａ１に一体連結し該弁本体２ｂ１を揺動可能に支持する連結片２ｂ２から構成されている（連結片２ｂ２と弁本体２ｂ１も一体連結したものが適用される。）。
【００１６】
さらに、３は、中栓2の貫通開口ｈを覆い隠し該貫通開口ｈを取り囲む縁部に引き剥がし可能に貼着された密封シートである。この密封シート３としては、容器を開封するときに初めて引き剥がされ、一度引き剥がされたら再度貼着することができないバージンタイプのシートを用いることが可能であり、密封シート３が貼着されているかどうかで不正な開封が行なわれたかどうかを視認できるようになっている（図１（ａ）には密封シート３の表示は省略してある。）。キャップ（図示せず）の内側に密封用のパッキンを設けておけば、密封シート３はなくてもかまわない。
【００１７】
図２は、詰替えるべき内容物を充填し上掲図１に示した容器1への詰め替えを行なうための容器である。図２における４は、容器本体、５は、容器本体４の口部４ａに着脱可能に装着された注出ノズルである。この注出ノズル５は、容器本体４の口部４ａにねじあるいはアンダーカットによって係合させることができるベースキャップ５ａと、このベースキャップ５ａの天面壁５ａ１において起立するノズル部５ｂと、このノズル部５ｂの基部に設けられ、中栓２の天面壁２ａ３に当接する凸部５ｃから構成されている。また、６はノズル部５ｂの先端に一体的に設けられ、手指によりもぎることによって容器本体４を開封する栓体である。
【００１８】
注出ノズル５の外周壁には、そのＡ−Ａ断面を図２に示す如く詰替え時に空気置換経路を形成するための縦溝５ｂ１が設けられ、凸部５ｃには、該縦溝５ｂ１につながる切欠凹所５ｃ１が形成されている。
【００１９】
容器本体４内の内容物を容器１に詰替えるには、栓体６をもぎ取ったのち、ノズル部５を図３に示すように、貫通開口ｈに差し込む。そうすると弁本体２ｂ１が連結片２ｂ２を支点にして下側へと倒れ込むこととなり、縦溝５ｂ１、切欠凹所５ｃ１による空気置換のもとでノズル部５ｂを通した内容物の効率的な移し替えが可能となる。
【００２０】
内容物を移し替えたのちノズル部５を貫通開口ｈから引き抜くと弁本体２ｂ１は元の姿勢へと復元し容器１の傾倒、振り出しあるいは容器１の胴体部分のスクイズ等により小径開孔ｈ１からの適量注出が行える。
【００２１】
弁本体２ｂ１は図示の例では、水平状態にある場合を初期姿勢（元の姿勢）として説明したが、該弁本体２ｂ１が元の姿勢に復元する際に貫通開口ｈから外側へ突出してしまうことが懸念される場合には、弁本体２ｂ１を予め斜めに傾けておくことも可能であり、この点については限定されない。
【００２２】
弁体２ｂは、弁本体２ｂ１と内筒２ａ１とを、一つの連結片２ｂ２にてつなげた一点弁として構成した場合を例として示したが、ノズル部５ｂを貫通開口ｈに差し込む際に弁本体２ｂ１を確実に倒し込むことができるものであれば該連結片２ｂ２を複数設け二点弁や三点弁等を構成するようにしてもよい。
【００２３】
図４（ａ）（ｂ）は、本発明にしたがう中栓の他の実施の形態を示した図である。この例は、弁体２ｂを、本体部分２ａの内筒２ａ１に嵌合保持した環状ベース２ｂ３と、この環状ベース２ｂ３に連結片２ｂ４を介して揺動可能に保持した弁本体２ｂ１から構成されたものである。
【００２４】
係る構成の中栓２は、二部材にて構成されることになるが、弁本体２ｂ１が初期姿勢にあるとき本体部分２ａの裏面に当接することになり、該弁本体２ｂ１の初期姿勢の安定化が可能となる。
【００２５】
この中栓２も図５に示すように、上掲図１に示した中栓２と同様の要領で内容物の移し替えが可能であり、中栓２の取り外しを行なうなどの面倒な作業が不要であり、内容物の効率的な詰替えが行なえる。
【００２６】
弁体２は、内容物の詰替え後において弁本体２b１を確実に初期姿勢に復元させるためゴムやエラストマー等の軟質材を用いるのがよいが、復元力でもって初期姿勢に概ね戻るものであれば合成樹脂製を適用することもできる。
【産業上の利用可能性】
【００２７】
容器の口部からの取り外しを行なう等の面倒な作業を要することなしに内容物の詰替えを効率的に行える中栓が提供できる。
【符号の説明】
【００２８】
１      容器（継続使用容器）
１ａ    口部
２      中栓
２ａ    本体部分
２ｂ    弁体
３      密封シート
４      容器本体
４ａ    口部
５      注出ノズル
５ａ    ベースキャップ
５ｂ    ノズル部
５ｃ    凸部
６      栓体
【図１】
0005528177.tif 000002
【図２】
0005528177.tif 000003
【図３】
0005528177.tif 000004
【図４】
0005528177.tif 000005
【図５】
0005528177.tif 000006